(57)【要約】【課題】  本来装置として必要なメモリデバイスのみを使用し、新たに特別なメモリデバイスを準備することなく、ＴＴＩのない相手先が不明なメモリ受信ファイルを確実に保護蓄積するファクシミリ装置を提供する。【解決手段】  コピー制御部１にはコピー機能及びファクシミリ装置全般を制御するＣＰＵ３と、プログラムを格納したＲＯＭ６ａと、情報蓄積用のＲＡＭ７ａと、データ処理に用いるｗｏｒｋＲＡＭ８ａと、画像データを圧縮、伸長する圧縮伸長部１３ａと、大容量メモリ１３ｂとを備え、通信制御部２はプログラムを格納したＲＯＭ６ｂと、ＦＲＯＭ６ｃと、情報蓄積用のＲＡＭ７ｂと、データ処理に用いるｗｏｒｋＲＡＭ８ｂと、ＦＡＸ画像データを各メモリに記憶したりメモリ間のコピー動作を行うＦＡＸ画像データ処理部１７と、受信画像データを蓄積するＦＡＸ画像蓄積メモリ１３ｃと、外部蓄積デバイス１３ｄとを備えて構成される。またＲＡＭ７ａ、７ｂは１次電池等でバックアップされ、電源ＯＦＦ時にも内容が保持される。またＲＯＭ６ｂの一部または別チップとして、ＲＯＭ６ｃがある。【選択図】            図１
2005094522.tif 000002
【特許請求の範囲】
【請求項１】
メモリ受信可能なファクシミリ装置であって、即時出力を必要としない受信画像データを蓄積する画像蓄積手段と、通信時刻及び前記受信画像データの蓄積領域情報を記憶する蓄積領域記憶手段と、異なる閾値により複数のリセット信号を生成するリセット生成手段と、前記画像蓄積手段と異なる記憶装置間でデータコピーを行う画像データ処理手段と、を備え、
即時出力を必要としない受信画像データを前記画像蓄積手段に蓄積中に前記電源が遮断された場合、前記画像データ処理手段は、前記リセット生成手段が生成する複数のリセット信号がアクティブになる時間差を利用して、送信側の端末識別情報が設定されていない受信画像データの蓄積領域を前記蓄積領域記憶手段により検出し、該蓄積領域の受信画像データを前記画像蓄積手段より読み出して前記記憶装置にコピーすることを特徴とするファクシミリ装置。
【請求項２】
前記蓄積領域記憶手段に該蓄積領域記憶手段の空き容量と前記画像蓄積手段の空き容量を記憶するレジスタを更に備え、
即時出力を必要としない受信画像データを前記画像蓄積手段に蓄積しながら前記レジスタの空き容量を更新中に前記電源が遮断された場合、前記画像データ処理手段は、前記リセット生成手段が生成する複数のリセット信号がアクティブになる時間差を利用して、送信側の端末識別情報が設定されていない受信画像データの蓄積領域を前記蓄積領域記憶手段により検出すると共に、前記レジスタに記憶された空き容量を比較し、該空き容量が大きい方に前記蓄積領域記憶手段により検出された蓄積領域の受信画像データをコピーすることを特徴とする請求項１に記載のファクシミリ装置。
【請求項３】
前記蓄積領域記憶手段に前記受信画像データの１ページ目のデータ容量を記憶するページ容量記憶手段を更に備え、
即時出力を必要としない受信画像データを前記画像蓄積手段に蓄積しながら前記両レジスタの空き容量を更新中に前記電源が遮断された場合、前記画像データ処理手段は、前記リセット生成手段が生成する複数のリセット信号がアクティブになる時間差を利用して、送信側の端末識別情報ＴＴＩが設定されていない受信画像データの蓄積領域を前記蓄積領域記憶手段により検出すると共に、前記レジスタに記憶された空き容量を比較した結果、前記蓄積領域記憶手段の空き容量が前記画像蓄積手段の空き容量より小さく、且つ前記ページ容量記憶手段により記憶された容量より大きい場合、前記蓄積領域記憶手段により検出された蓄積領域の受信画像データの１ページ目を該蓄積領域記憶手段に記憶し、残りの受信画像データを前記画像蓄積手段にコピーすることを特徴とする請求項１に記載のファクシミリ装置。
【請求項４】
前記受信画像データを所定のアルゴリズムに従って間引きする間引き手段を更に備え、
即時出力を必要としない受信画像データを前記間引き手段により間引きして前記画像蓄積手段に蓄積することを特徴とする請求項１乃至３の何れか一項に記載のファクシミリ装置。
【発明の詳細な説明】
【技術分野】
【０００１】
本発明は、ファクシミリ装置に関し、さらに詳しくは、電源遮断後の送信側の端末識別情報ＴＴＩが設定されていない受信画像データのバックアップ方法に関するものである。
【背景技術】
【０００２】
近年、ファクシミリ装置は大量の記憶容量を備えたメモリを持ち、即時出力を必要としない受信画像データをそのメモリに蓄積して受信する、所謂、メモリ受信機能つきのファクシミリ装置が多くなってきた。この機能を有するファクシミリ装置は、例えば、複合機のようにプロッタ部分が使用中にファクシミリ受信を有効とするために、メモリに受信画像データを一旦記憶しておき、プロッタが使用可能になったときに、メモリから受信画像データを読み出して印刷する方法がとられる。しかし、メモリ受信機能の場合、画像データをメモリに蓄積後に電源が遮断された場合、メモリの内容が消失してしまうため、そのデータをバックアップすることが重要となる。
その従来技術として特開平８−１２９５１１号公報には、通信データの蓄積メモリのバックアップ方法について開示されている。それによると、蓄積メモリに有効データがあるとき、バックアップ電流を供給したり、ＤＲＡＭのリフレッシュ動作を実行させ、有効データがないときはこれらをｏｆｆするものである。これにより、蓄積メモリが複数ある場合には、有効データのあるメモリを選択して、上記の制御を行う。また、有効データが複数のメモリに分散している場合には、データの再配置を行い、制御されるメモリデバイスを最小限にするというものである。
また特開平１０−２８５３１３号公報には、蓄積メモリに有効データを判別するためのヘッダー領域を設け、ヘッダーが有効でないデータになった場合、初期化を行い、蓄積データへの読み書きを禁止するものである。また、初期化においては、蓄積データをプリントアウトしてから行うものもある。このプリント操作はオペレータに初期化が必要なことを知らせ、オペレータ選択できるというものである。
また特開平１１−２３９２５４号公報には、ファクシミリ送受信に必要な画像蓄積用のＤＲＡＭと、同容量のＦＲＯＭを装備し、一旦ＤＲＡＭに蓄積した画像データファイルを、通信完了から印刷までの待ち時間にＦＲＯＭにコピーを行うというものである。また、印刷が実行されると、ＦＲＯＭにコピーした蓄積データを伸長して出力し、空き時間にＦＲＯＭを消去する技術について開示されている。
【特許文献１】特開平８−１２９５１１号公報
【特許文献２】特開平１０−２８５３１３号公報
【特許文献３】特開平１１−２３９２５４号公報
【発明の開示】
【発明が解決しようとする課題】
【０００３】
特許文献１に開示されている従来技術は、蓄積メモリに有効データがあるとき、バックアップ電流を供給したり、ＤＲＡＭのリフレッシュ動作を実行したり、有効データがないときはこれらをｏｆｆするものである。しかし、一時的なバックアップには２次電池が使われるのが一般的であり、充放電の回数が製品寿命とは別に保証値が決められ、頻度が多いとすぐにバックアップが不能になってしまうといった問題がある。
また特許文献２に開示されている従来技術は、蓄積メモリに、有効データか判別するためのヘッダー領域を設け、ヘッダーが有効でないデータになった場合、初期化を行い、蓄積データへの読み書きを禁止するというものであり、電池消耗やデータ破壊について判別したら初期化して消してしまうもので、蓄積データの保護には役に立たない。
また特許文献３に開示されている従来技術は、ファクシミリ送受信に必要な画像蓄積用のＤＲＡＭと、同容量のＦＲＯＭを装備し、一旦ＤＲＡＭに蓄積した画像データファイルを、通信完了から印刷までの待ち時間にＦＲＯＭにコピーを行うというものであり、蓄積メモリデバイスを複数もちコピーをするものであるが、受信画保持に足りる容量は数ＭＢになり、それだけのメモリデバイスを別に準備するためコストが大幅にアップするといった問題がある。
本発明は、かかる課題に鑑み、本来装置として必要なメモリデバイスのみを使用し、新たに特別なメモリデバイスを準備することなく、ＴＴＩのない相手先が不明なメモリ受信ファイルを確実に保護蓄積するファクシミリ装置を提供することを目的とする。
【課題を解決するための手段】
【０００４】
本発明はかかる課題を解決するために、請求項１は、メモリ受信可能なファクシミリ装置であって、即時出力を必要としない受信画像データを蓄積する画像蓄積手段と、通信時刻及び前記受信画像データの蓄積領域情報を記憶する蓄積領域記憶手段と、異なる閾値により複数のリセット信号を生成するリセット生成手段と、前記画像蓄積手段と異なる記憶装置間でデータコピーを行う画像データ処理手段と、を備え、即時出力を必要としない受信画像データを前記画像蓄積手段に蓄積中に前記電源が遮断された場合、前記画像データ処理手段は、前記リセット生成手段が生成する複数のリセット信号がアクティブになる時間差を利用して、送信側の端末識別情報が設定されていない受信画像データの蓄積領域を前記蓄積領域記憶手段により検出し、該蓄積領域の受信画像データを前記画像蓄積手段より読み出して前記記憶装置にコピーすることを特徴とする。
本発明のファクシミリ装置の特徴は、ロジック電圧と蓄積領域記憶手段の電源電圧を個別に検出して各電圧に応じてリセット信号が発生するリセット生成手段を設け、この信号の時間差を利用してハード的に回路を動作させて画像蓄積手段から蓄積領域記憶手段に画像データのコピーを行う点である。即ち、画像蓄積手段の電源は２次電池によりバックアップされ、電源が遮断されても画像データを所定の時間保持している。そして、リセット生成手段により発生した時間差を利用して画像データ処理手段をハード的に動作させて蓄積領域の受信画像データを画像蓄積手段より読み出して別の記憶装置にコピーするものである。
かかる発明によれば、リセット生成手段により発生した時間差を利用して画像データ処理手段をハード的に動作させて蓄積領域の受信画像データを画像蓄積手段より読み出して別の記憶装置にコピーするので、プリントアウトしてみないと相手先などが分からない文書を一時的なバックアップでなく蓄積しておくことができる。
【０００５】
請求項２は、前記蓄積領域記憶手段に該蓄積領域記憶手段の空き容量と前記画像蓄積手段の空き容量を記憶するレジスタを更に備え、即時出力を必要としない受信画像データを前記画像蓄積手段に蓄積しながら前記レジスタの空き容量を更新中に前記電源が遮断された場合、前記画像データ処理手段は、前記リセット生成手段が生成する複数のリセット信号がアクティブになる時間差を利用して、送信側の端末識別情報が設定されていない受信画像データの蓄積領域を前記蓄積領域記憶手段により検出すると共に、前記レジスタに記憶された空き容量を比較し、該空き容量が大きい方に前記蓄積領域記憶手段により検出された蓄積領域の受信画像データをコピーすることを特徴とする。
本発明は、請求項１の発明において、データ量に応じて記憶装置を選択するものである。即ち、蓄積領域記憶手段に自らの空き容量と画像蓄積手段の空き容量を記憶するレジスタを更に備え、電源が遮断された場合に、このレジスタの値を比較して空き容量が大きい方に受信データをコピーするものである。
かかる発明によれば、レジスタの値を比較して空き容量が大きい方に受信データをコピーするので、確実に受信データのバックアップを行うことができる。
【０００６】
請求項３は、前記蓄積領域記憶手段に前記受信画像データの１ページ目のデータ容量を記憶するページ容量記憶手段を更に備え、即時出力を必要としない受信画像データを前記画像蓄積手段に蓄積しながら前記両レジスタの空き容量を更新中に前記電源が遮断された場合、前記画像データ処理手段は、前記リセット生成手段が生成する複数のリセット信号がアクティブになる時間差を利用して、送信側の端末識別情報が設定されていない受信画像データの蓄積領域を前記蓄積領域記憶手段により検出すると共に、前記レジスタに記憶された空き容量を比較した結果、前記蓄積領域記憶手段の空き容量が前記画像蓄積手段の空き容量より小さく、且つ前記ページ容量記憶手段により記憶された容量より大きい場合、前記蓄積領域記憶手段により検出された蓄積領域の受信画像データの１ページ目を該蓄積領域記憶手段に記憶し、残りの受信画像データを前記画像蓄積手段にコピーすることを特徴とする。
本発明は、蓄積領域記憶手段に受信画像データの１ページ目のデータ容量を記憶するページ容量記憶手段を更に備え、まずレジスタの値を比較して、蓄積領域記憶手段の空き容量が画像蓄積手段の空き容量より小さく、且つページ容量記憶手段により記憶された容量より大きい場合、全ての画像データを画像蓄積手段に記憶することは不可能であるが、１ページ分の画像データを蓄積領域記憶手段に記憶すれば全ての画像データをバックアップすることが可能となる。従って、前記の条件の場合は１ページ目を蓄積領域記憶手段に記憶し、残りを画像蓄積手段に記憶するものである。
かかる発明によれば、蓄積領域記憶手段の空き容量が画像蓄積手段の空き容量より小さく、且つページ容量記憶手段により記憶された容量より大きい場合、１ページ目を蓄積領域記憶手段に記憶し、残りを画像蓄積手段に記憶するので、受信ファイル数が多いユーザにおいても、多くのファイルを保護蓄積することができる。
【０００７】
請求項４は、前記受信画像データを所定のアルゴリズムに従って間引きする間引き手段を更に備え、即時出力を必要としない受信画像データを前記間引き手段により間引きして前記画像蓄積手段に蓄積することを特徴とする。
本発明は、より多くのファイルの記憶する発明である。即ち、各回路がアクティブの期間の空き時間において、画像データ処理手段はフラグの立っているデータファイルについて１ページ目を伸長して画像を展開する。そして画像処理手段にある間引き回路を使用してページの間引きデータを作成し、マーカーの後に蓄積しておき、データの第２マーカーを付加しておく。そして電源遮断時に、第１マーカーから第２マーカーまでを転送する。
かかる発明によれば、受信画像データを間引きして記憶するので、受信ファイル数がさらに多いユーザにおいても、多くのファイルを保護蓄積することができる。
【発明の効果】
【０００８】
請求項１の発明によれば、リセット生成手段により発生した時間差を利用して画像データ処理手段をハード的に動作させて蓄積領域の受信画像データを画像蓄積手段より読み出して別の記憶装置にコピーするので、プリントアウトしてみないと相手先などが分からない文書を一時的なバックアップでなく蓄積しておくことができる。
また請求項２では、レジスタの値を比較して空き容量が大きい方に受信データをコピーするので、確実に受信データのバックアップを行うことができる。
また請求項３では、蓄積領域記憶手段の空き容量が画像蓄積手段の空き容量より小さく、且つページ容量記憶手段により記憶された容量より大きい場合、１ページ目を蓄積領域記憶手段に記憶し、残りを画像蓄積手段に記憶するので、受信ファイル数が多いユーザにおいても、多くのファイルを保護蓄積することができる。
また請求項４では、受信画像データを間引きして記憶するので、受信ファイル数がさらに多いユーザにおいても、多くのファイルを保護蓄積することができる。
【発明を実施するための最良の形態】
【０００９】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は本発明のファクシミリ装置のブロック図である。このファクシミリ装置は大きく分けてコピー制御部１、通信制御部２を備えて構成される。コピー制御部１は、複合装置の操作パネルの制御、スキャナ読み込み、プリント出力を行い、通信制御部２は、各種通信の制御部を介してデータ送受信全般を担当する。
コピー制御部１にはコピー機能及びファクシミリ装置全般を制御するＣＰＵ３があり、通信制御部２には通信制御を行い、コピー制御部１とのデータのやり取りを行う通信制御コントローラ４が、ブリッジ５により接続されている。コピー制御部１はプログラムを格納したＲＯＭ６ａと、情報蓄積用のＲＡＭ７ａと、データ処理に用いるｗｏｒｋＲＡＭ８ａと、操作パネル９ａと、それを制御する操作パネル制御部９ｂと、原稿を読み取るスキャナ１０ａと、それを制御するスキャナ制御部１０ｂと、画像を印刷するプロッタ１１ａと、それを制御するプロッタ制御部１１ｂと、各種ＩＯ１２ａと、それを制御するＩＯ制御部１２ｂと、画像データを圧縮、伸長する圧縮伸長部１３ａと、大容量メモリ１３ｂと、外部のＬＡＮと接続するＬＡＮＩ／Ｆ１４ｂと、それを制御するＬＡＮ制御部１４ａとを備えて構成される。
【００１０】
通信制御部２はプログラムを格納したＲＯＭ６ｂと、情報蓄積用のＲＡＭ７ｂと、データ処理に用いるｗｏｒｋＲＡＭ８ｂと、アナログ電話、アナログ電話網、及び内線網と接続するアナログ回線Ｉ／Ｆ１５ａと、Ｇ４回線網と接続するデジタル回線Ｉ／Ｆ１６ａと、アナログ回線Ｉ／Ｆ１５ａからのデータを変復調するＧ３ＦＡＸモデム１５ｂと、デジタル回線Ｉ／Ｆ１６ａからのデータを制御するＧ４ＦＡＸ制御部１６ｂと、ＦＡＸ画像データを各メモリに記憶したりメモリ間のコピー動作を行うＦＡＸ画像データ処理部１７と、受信画像データを蓄積するＦＡＸ画像蓄積メモリ１３ｃと、外部蓄積デバイス１３ｄとを備えて構成される。またＲＡＭ７ａ、７ｂは１次電池等でバックアップされ、電源ＯＦＦ時にも内容が保持される。またＲＯＭ６ｂの一部または別チップとして、ＲＯＭ６ｃがある。
ファクシミリ全般で使用する操作パネル９ａとその制御部９ｂがあり、主にＣＰＵ３から制御される。通信制御部２からの制御は直接またはＣＰＵ３を仲介して行われる。コピー制御部１のＩ／Ｏとしてスキャナ１０ａとその制御部１０ｂ、プロッタ１１ａとその制御部１１ｂを備え、その他のＩ／Ｏ制御として、各種ＩＯ１２ａとＩＯ制御部１２ｂがある。その他のＩ／Ｏとしては、用紙、ドア、ヒーター温度などのセンサーやモーター類などがある。コピー画像の圧縮伸長を行う、圧縮伸長制御部１３ａを有しており、ＨＤＤなどの大容量メモリ１３ｂを有している。またコピー制御部１と通信制御部２との間では、ブリッジ５を介してコマンド通信する。画像データは、ｗｏｒｋＲＡＭ８ａ、８ｂ間で、ページごと、ブロックごとまたはラインごとに行われる。通信制御部２にも蓄積用として、ＦＡＸ画像蓄積メモリ１３ｃやＳＤカードなどの外部蓄積デバイス１３ｄを有している。通信ポートとしては、コピー制御部１に、ＬＡＮと接続するためのＬＡＮ制御部１４ａとＬＡＮＩ／Ｆ１４ｂがある。通信制御部２には、ＦＡＸ通信ポートとして、アナログ回線Ｉ／Ｆ１５ａとＧ３ＦＡＸモデム１５ｂ、デジタル回線Ｉ／Ｆ１６ａとＧ４ＦＡＸ制御部１６ｂがある。これらを介して各種通信網と接続し、通信が行われる。ＦＡＸ通信の送受信データは、ＦＡＸ画像処理部１７にてＦＡＸ圧縮伸長や本発明の動作が行われ、ＦＡＸ画像蓄積メモリ１３ｃやＳＤカードなどの外部蓄積デバイス１３ｄを有している。
【００１１】
図２は本発明のファクシミリ装置の電源系のブロック図である。装置へのＡＣ電源入力は、電源コード１８、電源ＳＷ１９を介して、ＰＳＵ（Power Supply Unit）２０ａ内部の、ＡＣ電圧制御回路２０ｂと直流電源供給部２０ｃに入力される。ＡＣ電圧制御回路２０ｂで制御されたＡＣ電圧は、コピーの定着ヒーター２１に入力される。また直流電源供給部２０ｃでは、装置ＩＯで使用される直流電圧Ｖ１と、ロジック回路の直流電圧Ｖ２が生成される。
図３は本発明のファクシミリ装置の通信制御部２の電源系のブロック図である。通信制御部２には、直流電圧Ｖ２が供給される。実施例では、Ｖ１＝±１２Ｖ、２４Ｖ、Ｖ２＝５Ｖである。通信制御部２では、ＲＥＧ２２によって、通信制御コントローラ４と周辺回路で使用される直流電圧Ｖ３（Ｖ２＞Ｖ３、例として３．３Ｖ）が生成される。電圧Ｖ２、Ｖ３ともに電圧検知回路２３により電圧感知され、規定以下の電圧に降下するとリセット発生回路２４により、それぞれのリセット信号ＲＥＳ１、ＲＥＳ２が生成される。また直流電圧Ｖ２から、バックアップ電圧発生回路２５ａにより、直流電圧Ｖ４が生成され、ＦＡＸ画像蓄積メモリ１３ｃへ電源供給される。バックアップ電圧発生回路２５ａは、２次電池２５ｂを持っている。
【００１２】
次に第１の実施形態について説明する。まずメモリ構成について説明する。蓄積用メモリとして、ＳＤＲＡＭ素子の、ＦＡＸ画像蓄積メモリ１３ｃを装備する。このメモリは、比較的容量が大きく１６Ｍバイトを有し、Ａ４サイズで約１２８０ページ分の容量である。そして電源電圧として、バックアップ電圧Ｖ４により駆動される。またＦＲＯＭ素子のＲＯＭ６は、内部がプログラム領域ＲＯＭ６ｂとデータ領域ＲＯＭ６ｃの構成としてもいいし、素子として別々としてもいい。ＲＯＭ６ｃの容量としては、１Ｍバイトで、電話帳など一般的なデータを除き、５１２ｋバイトを有し、Ａ４サイズで４０ページ分の容量である。そして電源電圧として、ロジック直流電圧Ｖ３により駆動される。またＳＲＡＭ素子のＲＡＭ７ｂは設定データなどの記憶を行う。全容量は１２６ｋバイトで、蓄積領域としては、３２ｋバイト。Ａ４サイズで２．５ページ分の容量である。そして電源電圧として、ロジック直流電圧Ｖ３、電源ｏｆｆ時には、１次電池でバックアップする。
ファクシミリ通信のヘッダーには、端末識別ＩＤであるＴＴＩが含まれている。このＴＴＩには、自局の情報として、社名、人名、自局番の電話番号などを登録されており、受信側で相手先が分かるようになっている。ただし、ＴＴＩを登録していなかったり、オペレータによってＯＦＦ設定されている場合がある。そこで、即時出力しないファクシミリ受信が、Ｇ３ＦＡＸモデム１５ｂやＧ４ＦＡＸ制御部１６ｂからあると、通信制御コントローラ４はｗｏｒｋＲＡＭ８ｂを使用して、最も圧縮率の高い圧縮形式によりＦＡＸ画像蓄積メモリ１３ｃに蓄積する。受信が正常に終了すると、通信時刻等の情報とともに、蓄積領域情報を、ＲＡＭ７ｂに書き込む。本実施形態では蓄積領域のヘッダー部には予め決められた場所にＴＴＩがない受信である旨のフラグを立てておく。
【００１３】
図４は直流電圧Ｖ２、Ｖ３の電圧推移を表すは図である。ＡＣ電源ＯＮで、電圧Ｖ２、Ｖ３が立ち上がるが、低い電圧のＶ３は先に立ち上がる。電圧検知信号は時刻ｔ１（Ｐ点）でＤＥＴ−Ｖ３信号がアクティブになり、時刻ｔ２（Ｑ点）でＤＥＴ−Ｖ２信号がアクティブになる。従来技術の制御では、Ｖ２、Ｖ３ともに立ち上がっている期間ｔ２〜ｔ３以外はロジックのリセットを掛けておき、すべてのデバイスに一斉にリセットをしておく必要がある。本実施例形態では、上記のｔ２〜ｔ３期間以外は通信制御コントローラ４に、ＲＥＳ１信号をアクティブにしておき、ｔ２〜ｔ４期間以外はＦＡＸ画像処理部１７にＲＥＳ２信号をアクティブにする。そして画像データを受信後、電源ＳＷがｏｆｆされたり、停電が起こると電圧は下がりはじめ、時刻ｔ３（Ｒ点）で通信制御コントローラ４のプログラムがストップする。ＦＡＸ画像データ処理部にはＲＥＳ２信号が接続されており、ＲＥＳ２信号はアクティブになっていないので、ハードウェアのみで、ＲＯＭ６ｃとＦＡＸ画像蓄積メモリ１３ｃのマスタデバイスになり、上記フラグのあるデータをＦＡＸ画像蓄積メモリ１３ｃからＲＯＭ６ｃの予め決められた領域へコピーを行う。そして期間（ｔ３〜ｔ４）ファイルエンドにマーカーを書き込み、フラグからマーカーまでのデータを転送すればいい。そしてＲＡＭ７ｂにはＲＯＭ６ｃに記憶するアドレス情報を記憶する。
【００１４】
第２の実施形態は、第１の実施形態を実行する場合、データ容量に応じてメモリデバイスを選択する形態である。即ち、画像データの受信があると、ＦＡＸ画像データ処理部１７はＧ３ＦＡＸモデム１５ｂまたはＧ４ＦＡＸ制御部１６ｂのＦＩＦＯからＣＰＵ転送でＦＡＸ画像蓄積メモリ１３ｃに圧縮データが転送蓄積される。ページの終わり及びファイルの終わりには予め決められた、Ｅｎｄ  Ｏｆ  Ｐａｇｅデータが付加されている。本実施形態では、ＲＡＭ７ｂにＲＡＭ７ｂの空き容量とファイルデータの空き容量を記憶するレジスタを設けておき、受信時に通信制御コントローラ４がファイルデータの空き容量を記憶するレジスタを更新し、電源ｏｆｆ転送時にＦＡＸ画像データ処理部１７がＲＡＭ７ｂの空き容量レジスタを更新する。そして電源ｏｆｆした場合、両レジスタを比較し、ＲＡＭ７ｂの空き容量レジスタの方が大きい場合、ＲＡＭ７ｂに画像データを転送するようにする。
第３の実施形態は、第２の実施形態を実行する場合、記憶容量が足りなくなるのを防ぐ形態である。そこで、本実施形態では上記レジスタのほかに、１ページ容量レジスタを設けておき、１ページ目の容量を記憶させておく。即ち、容量判定時に空き容量のレジスタよりファイルデータ容量のレジスタの方が大きい場合、次に１ページ容量レジスタと空き容量のレジスタを比較し、空き容量の方が大きい場合、１ページ目をＲＡＭ７ｂに転送するようにし、残りのページをＲＯＭ６ｃへ転送するようにする。これにより、ＲＯＭ６ｃへの書き込み時間が、ｔ４までに終わらないハードウェアパフォーマンスの場合、転送が容易なＲＡＭ７ｂへの書き込みにより確実性が高くなる。
【００１５】
第４の実施形態は、第１〜３の実施形態を実行する場合、より多くのファイルの記憶する形態である。即ち、ｔ２〜ｔ３の期間の空き時間において、ＦＡＸ画像データ処理部１７はフラグの立っているデータファイルについて、１ページ目を（ページごとでもいい）伸長してｗｏｒｋＲＡＭ８ｂのページメモリに画像を展開する。そしてＦＡＸ画像データ処理部１７にある間引き回路を使用して、数ラインに１本ずつ圧縮回路に取り込み、圧縮処理を行いページの間引きデータを作成して上述のマーカーの後に蓄積しておき、データの第２マーカーを付加しておく。そして電源ｏｆｆ時に第１マーカーから第２マーカーまでを転送するものである。
図５は他の実施形態に係るファクシミリ装置のブロック図である。同じ構成要素には同じ参照番号が付されているので、重複する説明は省略する。図５が図１と異なる点は、コピー制御部１から画像データを圧縮、伸長する圧縮伸長部１３ａと、大容量メモリ１３ｂと、外部のＬＡＮと接続するＬＡＮＩ／Ｆ１４ｂと、それを制御するＬＡＮ制御部１４ａを省略し、通信制御部からｗｏｒｋＲＡＭ８ｂ、デジタル回線Ｉ／Ｆ１６ａとＧ４ＦＡＸ制御部１６ｂ、及び外部蓄積デバイス１３ｄを省略した点である。これにより、廉価版ファクシミリ装置が実現できる。即ち、ＨＤＤなど大容量不揮発メモリを持つ、高価な装置でなくても本発明を実現することができる。また、ソフトウェアの介在をせずに、少ない構成のハードウェア追加だけで本発明を達成できるメリットもある。
【図面の簡単な説明】
【００１６】
【図１】本発明のファクシミリ装置のブロック図。
【図２】本発明のファクシミリ装置の電源系のブロック図。
【図３】本発明のファクシミリ装置の通信制御部２の電源系のブロック図。
【図４】本発明の直流電圧Ｖ２、Ｖ３の電圧推移を表す図。
【図５】本発明の他の実施形態に係るファクシミリ装置のブロック図。
【符号の説明】
【００１７】
１  コピー制御部、２  通信制御部、３  ＣＰＵ、４  通信制御コントローラ、６ａ、６ｂ、６ｃ  ＲＯＭ、７ａ、７ｂ  ＲＡＭ、１３ａ  圧縮伸長部、１３ｂ  大容量メモリ、８ａ、８ｂ  ｗｏｒｋＲＡＭ、１３ｃ  ＦＡＸ画像蓄積メモリ、１３ｄ  外部蓄積デバイス、１７  ＦＡＸ画像データ処理部
【図１】
2005094522.tif 000003
【図２】
2005094522.tif 000004
【図３】
2005094522.tif 000005
【図４】
2005094522.tif 000006
【図５】
2005094522.tif 000007